(57)【要約】【課題】  本発明は、薄型化が可能で部品点数の少ないシャッタ装置を提供すること。【解決手段】  本発明の第１の実施の形態のシャッタ装置２１は、所定の口径の開口部３２ｃが形成された基部３２ｂを有するベース部材３２と、このベース部材３２上に配置されて開口部３２ｃを開閉する方向に回動可能な第１羽根３６とを備え、基部３２ｂの外側には、円形状のリング部２６ａを有する第１リング２６が配設され、第１羽根３６は、一端部側が第１リング２６とベース部材３２とに支持され、第１リング２６が所定角度回動することにより、第１羽根３６の他端部側が開口部３２ｃ側に回動して開口部３２ｃを開閉可能になっている。【選択図】        図１
2005227531.tif 000002
【特許請求の範囲】
【請求項１】
所定の口径の開口部が形成された基部を有するベース部材と、このベース部材上に配置されて前記開口部を開閉する方向に回動可能な第１羽根とを備え、前記基部の外側には、円形状のリング部を有する第１リングが配設され、前記第１羽根は、一端部側が前記第１リングと前記ベース部材とに支持され、前記第１リングが所定角度回動することにより、前記第１羽根の前記他端部側が前記開口部側に回動して前記開口部を開閉可能になっていることを特徴とするシャッタ装置。
【請求項２】
前記第１羽根の前記一端部側には、前記ベース部材に形成した第１羽根支持部に支持可能な第１支持部が形成されと共に、前記リング部に形成した第１羽根駆動部が係合可能な第１係合部が形成され、前記第１リングが前記回動することにより、前記第１羽根駆動部が前記第１羽根を回動させるようにしたことを特徴とする請求項１記載のシャッタ装置。
【請求項３】
前記第１リングは、前記リング部の互いに対向する位置に板状で面方向に着磁された第１、第２マグネットをそれぞれ取り付け、前記第１マグネットの板状の面と対向する側に第１コイル、前記第２マグネットの板状の面と対向する側に第２コイルを配設し、前記第１、第２コイルに通電して発生する磁束が、前記第１、第２マグネットの磁束に作用して、前記第１リングが前記所定の角度回動するようにしたことを特徴とする請求項１又は２記載のシャッタ装置。
【請求項４】
前記ベース部材上には、前記第１羽根と共に前記開口部を開閉可能な第２羽根が配設され、この第２羽根の一端部側には、前記ベース部材に形成した第２羽根支持部に支持可能な第２支持部が形成されると共に、前記第１リングに形成した第２羽根駆動部が係合可能な第２係合部が形成され、前記第１リングの回動に伴って、前記第１羽根と第２羽根の両方が前記開口部側に回動するようにしたことを特徴とする請求項１乃至３のいずれかに記載のシャッタ装置。
【請求項５】
前記第１リングの外側には、前記第１リングの外径より大きな開口を有する円形状のリング部を形成した第２リングが前記第１リングと同一面上に配設され、前記ベース部材上には、前記第１、第２羽根と独立して前記開口部を開閉可能な第３羽根が配設され、この第３羽根の一端部側には、前記ベース部材に形成した第３羽根支持部に支持可能な第３支持部が形成されると共に、前記第２リングに形成した第３羽根駆動部が係合可能な第３係合部が形成され、前記第２リングの回動に伴って前記第３羽根駆動部が前記第３係合部を操作して、前記第３羽根が回動するようにしたことを特徴とする請求項１乃至４のいずれかに記載のシャッタ装置。
【請求項６】
前記第２リングの前記リング部には、互いに対向する位置で、前記第１マグネットに隣接する位置に第３マグネットを配設すると共に、前記第２マグネットに隣接する位置に第４マグネットを配設し、前記第１、第３マグネットの板状の平面と対向する位置に前記第１コイルを配設すると共に、前記第２、第４マグネットの板状の平面と対向する位置に前記第２コイルを配設したことを特徴とする請求項５記載のシャッタ装置。
【請求項７】
前記第１〜第４マグネットは、板状の上下面が互いに異なる磁極となるように着磁（面方向に着磁）され、前記第１、第３マグネットは、前記第１コイルと対向する面が一方の磁極（Ｓ極）になるように着磁され、前記第２マグネットは、前記第２コイルと対向する面が一方の磁極（Ｓ極）になるように着磁され、前記第４マグネットは、前記第２コイルと対向する面が他方の磁極（Ｎ極）になるように着磁されていることを特徴とする請求項６記載のシャッタ装置。
【請求項８】
前記第１コイル及び前記第２コイルは、前記第１、第３マグネット及び前記第２、第４マグネットの両方の面が対向可能な横長状に形成されていることを特徴とする請求項６または７記載のシャッタ装置。
【請求項９】
前記第１、第２マグネットは、前記第１リングの前記リング部から外側に突出して取り付けられ、前記第３、第４マグネットは、前記第２リングの前記リング部から内側に突出して取り付けられて、前記第１〜第４マグネットが前記開口部を中心とした同心円上に配設されていることを特徴とする請求項６乃至８のいずれかに記載のシャッタ装置。
【請求項１０】
前記第１、第２マグネットに挟まれた前記第１リングの前記リング部の一方と他方には、突起状の前記第１、第２羽根駆動部を突出形成し、前記第２リングの前記リング部に取り付けた前記第４マグネット近傍に突起状の前記第３羽根駆動部を突出形成したことを特徴とする請求項６乃至９のいずれかに記載のシャッタ装置。
【請求項１１】
前記ベース部材に形成した前記第１〜第３羽根支持部は、それぞれ突起状に突出形成され、前記第１〜第３羽根は、それぞれの前記支持部が丸孔からなると共に、それぞれの前記係合部が楕円孔からなることを特徴とする請求項５乃至１０のいずれかに記載のシャッタ装置。
【請求項１２】
前記ベース部材には、前記第１〜第３羽根駆動部が挿通可能な挿通部が形成されていることを特徴とする請求項５乃至１１のいずれかに記載のシャッタ装置。
【請求項１３】
前記第１、第２羽根は、前記ベース部材の前記開口部を開閉可能な遮蔽部を他端部側に形成したシャッタ羽根からなり、前記第３羽根は、前記ベース部材の前記開口部を開閉可能な前記フィルタ支持部にＮＤフィルタを取り付けたフィルタ羽根、または前記開口部の口径より小さい小径穴を形成した絞り羽根からなることを特徴とする請求項５乃至１２のいずれかに記載のシャッタ装置。
【請求項１４】
前記第１、第２コイルは、磁性材からなるボトムヨーク上に載置され、前記第１、第２、第３羽根の上方には磁性材からなるトップヨークが配設されていることを特徴とする請求項５乃至１３のいずれかに記載のシャッタ装置。
【請求項１５】
前記ベース部材上には、前記第１羽根と、ＮＤフィルタを取り付けたフィルタ羽根、または前記開口部の口径より小さい小径穴を有する絞り羽根からなる第２羽根とが配設され、前記第１リングと対向する側に、前記第２羽根を回動操作可能な第２リングを配設したことを特徴とする請求項１または２記載のシャッタ装置。
【請求項１６】
前記第１リングの前記リング部には、互いに対向する位置の上面に第１、第２マグネットが取り付けられ、前記第１マグネットの上方に第１コイルを配設すると共に、前記第２マグネットの上方に第２コイルを配設し、前記第１リングの上方に配設した前記第２リングのリング部には、互いに対向する位置の下面に第３、第４マグネットが取り付けられ、
前記第１、第３マグネットは、前記第１コイルを挟んで上下に隣り合わせて互い違いに配設され、前記第２、第４マグネットは、前記第２コイルを挟んで上下に隣り合わせて互い違いに配設され、前記第１、第２コイルに通電して発生する磁束が前記第１、第２マグネットの磁束に作用して前記第１リングが回動し、前記第１、第２コイルに通電して発生する磁束が前記第３、第４マグネットの磁束に作用して前記第２リングが回動することを特徴とする請求項１５記載のシャッタ装置。
【請求項１７】
前記第１、第２マグネットは、前記第１リングのリング部に形成した第１、第２マグネット受け部に取り付けられ、前記第３、第４マグネットは、前記第２リングのリング部に形成した第３、第４マグネット受け部に取り付けられていることを特徴とする請求項１６記載のシャッタ装置。
【発明の詳細な説明】
【技術分野】
【０００１】
本発明は、シャッタ装置に係わり、デジタルムービーカメラあるいはデジタルスチルカメラ等に用いて好適なシャッタ装置に関する。
【背景技術】
【０００２】
従来のシャッタ装置を、特許文献１に基づいて説明すると、図１８に示すように、リング状のマグネット１には、中央部に嵌合孔１ａが形成され、上面側に突出するダボ１ｂと、下面側に突出する２本のダボ１ｃ、１ｄとが形成されている。
前記マグネット１は、円周方向にｎ等分されてＳ極・Ｎ極が交互に着磁されている。
また、マグネット１の上部には、円筒状のコイル２が、絶縁材料からなるボビン３に巻き付けられて配設されている。前記ボビン３には、ダボ３ａが突出形成されている。
【０００３】
また、コイル２の上部には、磁性材料からなる円盤状のヨーク４が配設され、このヨーク４には、櫛歯状の第１磁極部４ａ、４ｂ、４ｃ、４ｄ、４ｅが形成されている。そして、コイル２に通電することにより櫛歯状の第１磁極部４ａ、４ｂ、４ｃ、４ｄ、４ｅが励磁されてコイル３が回転するようになっている。
また、嵌合孔１ａに嵌合リング６を嵌合させたマグネット１の下部には、コイル２によって磁極部４ａ〜４ｅとは逆の極性が励磁される第２磁極部である平板状の羽根押さえ板９が配設されている。
前記羽根押さえ板９の中央には、所定の口径の開口部９ａが形成されている。
【０００４】
また、羽根押さえ板９の下部には、第１、第２第１羽根７、８を介して中央に開口部５ａが形成されたベース部材５が配設され、このベース部材５には、ダボ５ｂ、５ｃが形成されていると共にマグネット１のダボ１ｃ、１ｄが係合可能な長孔５ｄ、５ｅが形成されている。そして、マグネット１が回転することにより、ダボ１ｃ、１ｄが長孔５ｄ、５ｃに当接して、マグネット１の回転角度が所定角度で規制されるようになっている。
また、第１第１羽根７は、丸孔７ａがベース部材５のダボ５ｃに嵌合すると共に、丸孔７ｂがマグネット１のダボ１ｄに嵌合している。  
【０００５】
また、第２第１羽根８は、丸孔８ａがベース部材５のダボ５ｂに嵌合すると共に、丸孔８ｂがマグネット１のダボ１ｃに嵌合している。前記ベース部材５の下部には、ＮＤフィルタ板１０が配設され、孔１０ａがベース部材５の下面に形成したダボ（図示せず）に嵌合して回転自在になっている。
前記ＮＤフィルタ板１０には、光の透過率が小さなフィルタ部１０ｂが接着剤等で貼付されて形成されている。
そして、ＮＤフィルタ板１０が孔１０ａを支点として回動することにより、フィルタ１０ｂがベース部材５および羽根押さえ板９の開口部５ａ、９ａを覆うことができるようになっている。
【０００６】
また、ヨーク４上には連動レバー１１が配設されており、孔１１ａがボビン３のダボ３ａに支持されて、孔１１ａを支点として連動レバー１１が回動自在になっている。また、連動レバー１１の溝部１１ｂは、マグネット１のダボ１ｂに嵌合しており、マグネット１が回転すると、この回転に応じた角度だけ孔１１ａを支点として連動レバー１１が回動するようになっている。
前記連動レバー１１には、ギア部１１ｃが形成され、このギア部１１ｃに入力ギア１２のギア部１２ａが噛み合っている。
【０００７】
前記入力ギア１２は、内部にラチエットギア（図示せず）を有する出力部材１３と共にワンウエイクラッチを構成している。また、出力部材１３のピン１３ｂがＮＤフィルタ板１０の長孔１０ｃと摺動可能に嵌合している。
そして、出力部材１３の回転に応じて、ＮＤフィルタ板１０が回動して、フィルタ部１０ｂがそれぞれの開口部５ａ、９ａを覆う動作、または開放する動作を行うようになっている。
【０００８】
このような構成の従来のシャッタ装置におけるマグネット１とＮＤフィルタ板１０との動作を説明すると、例えばコイル２に対して非通電時は、フィルタ部１０ｂが開口部５ａ、９ａから待避した第１の露光状態となって停止している。
この状態から、コイル２に通電を行い、ヨーク４の磁極部４ａ〜４ｅのＳ極に励磁すると、回転方向の電磁力を受けたマグネット１は、時計回り方向に所定角度回転する。
【０００９】
この時の入力ギア１２は、連動レバー１１を介して回転するが、出力部材１３は内部のラチエットギアの作用で回転しないようになっている。そのために、ＮＤフィルタ板１０のフィルタ１０ｂは、羽根押さえ板９の開口部９ａから回避した第１の露光状態で停止したままである。
ここで、コイル２への通電方向を反対にすると、ヨーク４の磁極部４ａ〜４ｅがＮ極に励磁されて、マグネット１は反時計回り方向に所定角度回転する。
【００１０】
また、マグネット１の反転に連動して入力ギア１２も反転し、出力部材１３のラチエットギアの作用で出力部材１３が反時計回り方向に所定角度回転する。
これの伴って、出力部材１３のピン１３ｂにより、ＮＤフィルタ１０が回動して、フィルタ部１０ｂが開口部５ａ、９ａを覆うようになる。
このことにより、開口部５ａ、９ａを通過する光量が第１の露光状態より少ない第２の露光状態となる。
【特許文献１】特開２００２−３４５２２５号公報
【特許文献２】特開２００３−１１１３７６号公報
【発明の開示】
【発明が解決しようとする課題】
【００１１】
しかし、前述したような従来のシャッタ装置は、連動レバー１１、入力ギア１２、および内部にラチエットギアを有する出力部材１３等が必要であったので、厚さ寸法が厚くなる問題があった。
また、部品点数が多くなって組立が複雑になる問題があった。
本発明は、前述したような課題を解決するためのものであり、薄型化が可能で部品点数の少ないシャッタ装置を提供することを目的とする。
【課題を解決するための手段】
【００１２】
前記課題を解決するための第１の解決手段として本発明のシャッタ装置は、所定の口径の開口部が形成された基部を有するベース部材と、このベース部材上に配置されて前記開口部を開閉する方向に回動可能な第１羽根とを備え、前記基部の外側には、円形状のリング部を有する第１リングが配設され、前記第１羽根は、一端部側が前記第１リングと前記ベース部材とに支持され、前記第１リングが所定角度回動することにより、前記第１羽根の前記他端部側が前記開口部側に回動して前記開口部を開閉可能になっていることを特徴とする。
【００１３】
また、前記課題を解決するための第２の解決手段として、前記第１羽根の前記一端部側には、前記ベース部材に形成した第１羽根支持部に支持可能な第１支持部が形成されと共に、前記リング部に形成した第１羽根駆動部が係合可能な第１係合部が形成され、前記第１リングが前記回動することにより、前記第１羽根駆動部が前記第１羽根を回動させるようにしたことを特徴とする。
【００１４】
また、前記課題を解決するための第３の解決手段として、前記第１リングは、前記リング部の互いに対向する位置に板状で面方向に着磁された第１、第２マグネットをそれぞれ取り付け、前記第１マグネットの板状の面と対向する側に第１コイル、前記第２マグネットの板状の面と対向する側に第２コイルを配設し、前記第１、第２コイルに通電して発生する磁束が、前記第１、第２マグネットの磁束に作用して、前記第１リングが前記所定の角度回動するようにしたことを特徴とする。
【００１５】
また、前記課題を解決するための第４の解決手段として、前記ベース部材上には、前記第１羽根と共に前記開口部を開閉可能な第２羽根が配設され、この第２羽根の一端部側には、前記ベース部材に形成した第２羽根支持部に支持可能な第２支持部が形成されると共に、前記第１リングに形成した第２羽根駆動部が係合可能な第２係合部が形成され、前記第１リングの回動に伴って、前記第１羽根と第２羽根の両方が前記開口部側に回動するようにしたことを特徴とする。
【００１６】
また、前記課題を解決するための第５の解決手段として、前記第１リングの外側には、前記第１リングの外径より大きな開口を有する円形状のリング部を形成した第２リングが前記第１リングと同一面上に配設され、前記ベース部材上には、前記第１、第２羽根と独立して前記開口部を開閉可能な第３羽根が配設され、この第３羽根の一端部側には、前記ベース部材に形成した第３羽根支持部に支持可能な第３支持部が形成されると共に、前記第２リングに形成した第３羽根駆動部が係合可能な第３係合部が形成され、前記第２リングの回動に伴って前記第３羽根駆動部が前記第３係合部を操作して、前記第３羽根が回動するようにしたことを特徴とする。
【００１７】
また、前記課題を解決するための第６の解決手段として、前記第２リングの前記リング部には、互いに対向する位置で、前記第１マグネットに隣接する位置に第３マグネットを配設すると共に、前記第２マグネットに隣接する位置に第４マグネットを配設し、前記第１、第３マグネットの板状の平面と対向する位置に前記第１コイルを配設すると共に、前記第２、第４マグネットの板状の平面と対向する位置に前記第２コイルを配設したことを特徴とする。
【００１８】
また、前記課題を解決するための第７の解決手段として、前記第１〜第４マグネットは、板状の上下面が互いに異なる磁極となるように着磁（面方向に着磁）され、前記第１、第３マグネットは、前記第１コイルと対向する面が一方の磁極（Ｓ極）になるように着磁され、前記第２マグネットは、前記第２コイルと対向する面が一方の磁極（Ｓ極）になるように着磁され、前記第４マグネットは、前記第２コイルと対向する面が他方の磁極（Ｎ極）になるように着磁されていることを特徴とする。
【００１９】
また、前記課題を解決するための第８の解決手段として、前記第１コイル及び前記第２コイルは、前記第１、第３マグネット及び前記第２、第４マグネットの両方の面が対向可能な横長状に形成されていることを特徴とする。
【００２０】
また、前記課題を解決するための第９の解決手段として、前記第１、第２マグネットは、前記第１リングの前記リング部から外側に突出して取り付けられ、前記第３、第４マグネットは、前記第２リングの前記リング部から内側に突出して取り付けられて、前記第１〜第４マグネットが前記開口部を中心とした同心円上に配設されていることを特徴とする。
【００２１】
また、前記課題を解決するための第１０の解決手段として、前記第１、第２マグネットに挟まれた前記第１リングの前記リング部の一方と他方には、突起状の前記第１、第２羽根駆動部を突出形成し、前記第２リングの前記リング部に取り付けた前記第４マグネット近傍に突起状の前記第３羽根駆動部を突出形成したことを特徴とする。
【００２２】
また、前記課題を解決するための第１１の解決手段として、前記ベース部材に形成した前記第１〜第３羽根支持部は、それぞれ突起状に突出形成され、前記第１〜第３羽根は、それぞれの前記支持部が丸孔からなると共に、それぞれの前記係合部が楕円孔からなることを特徴とする。
【００２３】
また、前記課題を解決するための第１２の解決手段として、前記ベース部材には、前記第１〜第３羽根駆動部が挿通可能な挿通部が形成されていることを特徴とする。
【００２４】
また、前記課題を解決するための第１３の解決手段として、前記第１、第２羽根は、前記ベース部材の前記開口部を開閉可能な遮蔽部を他端部側に形成したシャッタ羽根からなり、前記第３羽根は、前記ベース部材の前記開口部を開閉可能な前記フィルタ支持部にＮＤフィルタを取り付けたフィルタ羽根、または前記開口部の口径より小さい小径穴を形成した絞り羽根からなることを特徴とする。
【００２５】
また、前記課題を解決するための第１４の解決手段として、前記第１、第２コイルは、磁性材からなるボトムヨーク上に載置され、前記第１、第２、第３羽根の上方には磁性材からなるトップヨークが配設されていることを特徴とする。
【００２６】
また、前記課題を解決するための第１５の解決手段として、前記ベース部材上には、前記第１羽根と、ＮＤフィルタを取り付けたフィルタ羽根、または前記開口部の口径より小さい小径穴を有する絞り羽根からなる第２羽根とが配設され、前記第１リングと対向する側に、前記第２羽根を回動操作可能な第２リングを配設したことを特徴とする。
【００２７】
また、前記課題を解決するための第１６の解決手段として、前記第１リングの前記リング部には、互いに対向する位置の上面に第１、第２マグネットが取り付けられ、前記第１マグネットの上方に第１コイルを配設すると共に、前記第２マグネットの上方に第２コイルを配設し、前記第１リングの上方に配設した前記第２リングのリング部には、互いに対向する位置の下面に第３、第４マグネットが取り付けられ、
前記第１、第３マグネットは、前記第１コイルを挟んで上下に隣り合わせて互い違いに配設され、前記第２、第４マグネットは、前記第２コイルを挟んで上下に隣り合わせて互い違いに配設され、前記第１、第２コイルに通電して発生する磁束が前記第１、第２マグネットの磁束に作用して前記第１リングが回動し、前記第１、第２コイルに通電して発生する磁束が前記第３、第４マグネットの磁束に作用して前記第２リングが回動することを特徴とする。
【００２８】
また、前記課題を解決するための第１７の解決手段として、前記第１、第２マグネットは、前記第１リングのリング部に形成した第１、第２マグネット受け部に取り付けられ、前記第３、第４マグネットは、前記第２リングのリング部に形成した第３、第４マグネット受け部に取り付けられていることを特徴とする。
【発明の効果】
【００２９】
本発明の第１の実施の形態のシャッタ装置は、第１リングが所定角度回動することにより、第１羽根の他端部側が開口部側に回動して開口部を開閉可能になっているので、第１リングの回動操作でシャッタ羽根である第１羽根を確実に回動させてシャッタ動作を行うことができる。
【００３０】
また、第１羽根の一端部側には、ベース部材に形成した第１羽根支持部に支持可能な第１支持部が形成されと共に、リング部に形成した第１羽根駆動部が係合可能な第１係合部が形成され、第１リングが回動することにより、第１羽根駆動部が第１羽根を回動させるようにしたので、第１羽根を確実に回動させることができる。
【００３１】
また、第１マグネットの板状の面と対向する側に第１コイル、第２マグネットの板状の平面と対向する側に第２コイルを配設し、第１、第２コイルに通電して発生する磁束が、第１、第２マグネットの磁束に作用して、第１リングが所定の角度回動するようにしたので、部品点数が少なくて薄型のシャッタ装置を提供できる。
【００３２】
また、ベース部材上には、第１羽根と共に開口部を開閉可能な第２羽根が配設され、この第２羽根の一端部側には、ベース部材に形成した第２羽根支持部に支持可能な第２支持部が形成されると共に、第１リングに形成した第２羽根駆動部が係合可能な第２係合部が形成され、第１リングの回動に伴って、第１羽根と第２羽根の両方が開口部側に回動するようにしたので第１、第２の２つの羽根で開口部を開閉することができ、更に確実なシャッタ動作を行うことができる。
【００３３】
また、第３羽根の一端部側には、ベース部材に形成した第３羽根支持部に支持可能な第３支持部が形成されると共に、第２リングに形成した第３羽根駆動部が係合可能な第３係合部が形成され、第２リングの回動に伴って第３羽根駆動部が第３係合部を操作して、第３羽根が回動するようにしたので、第１、第２羽根とは独立して第３羽根を回動させることができる。
そのために、第３羽根でフィルタ動作あるいは絞り動作を行うことができ、高機能のシャッタ装置を提供できる。
【００３４】
また、第２リングの前記リング部には、互いに対向する位置で、第１マグネットに隣接する位置に第３マグネットを配設すると共に、第２マグネットに隣接する位置に第４マグネットを配設し、第１、第３マグネットの板状の面と対向する位置に第１コイルを配設すると共に、第２、第４マグネットの板状の面と対向する位置に第２コイルをに配設したので、第１、第２コイルへの通電方向によって、第１及び第２リングの回動と回動停止と独立して行うことができる。
そのために、第１、第２羽根と独立して、第３羽根を更に確実に回動させることができる。
【００３５】
また、第１〜第４マグネットは、板状の上下面が互いに異なる磁極となるように着磁（面方向に着磁）され、第１、第３マグネットは、第１コイルと対向する面が一方の磁極（Ｓ極）になるように着磁され、第２マグネットは、第２コイルと対向する面が一方の磁極（Ｓ極）になるように着磁され、第４マグネットは、第２コイルと対向する面が他方の磁極（Ｎ極）になるように着磁されているので、第１、第２への通電方向を変えることで、容易に第１、第２リングの回動方向を制御することができる。
【００３６】
また、第１コイル及び第２コイルは、第１、第３マグネット及び第２、第４マグネットの両方の面が対向可能な横長状に形成されているので、第１、第２コイルに発生する磁束を確実にそれぞれのマグネットの磁束作用させることができる。そのために、第１、第２リングを確実に回動及び回動停止を行える。
【００３７】
また、第１、第２マグネットは、第１リングのリング部から外側に突出して取り付けられ、第３、第４マグネットは、第２リングのリング部から内側に突出して取り付けられて、第１〜第４マグネットが開口部を中心とした同心円上に配設されているので、更に確実に第１、第２コイルに発生する磁束を、それぞれのマグネットの磁束作用させることができる。
【００３８】
また、第１、第２マグネットに挟まれた第１リングのリング部の一方と他方には、突起状の第１、第２羽根駆動部を突出形成し、第２リングの前記リング部に取り付けた第４マグネット近傍に突起状の第３羽根駆動部を突出形成したので、第１、第２リングの回動で、第１、第２、第３羽根を高速で確実に回動させることができる。
【００３９】
また、ベース部材に形成した第１〜第３羽根支持部は、それぞれ突起状に突出形成され、第１〜第３羽根は、それぞれの支持部が丸孔からなると共に、それぞれの係合部が楕円孔からなるので、第１〜第３羽根の組立が容易である。
【００４０】
また、ベース部材には、第１〜第３羽根駆動部が挿通可能な挿通部が形成されているので、第１〜第３羽根駆動部によって、第１〜第３羽根を確実に起動駆動させることができる。
【００４１】
また、第１、第２羽根は、開口部を開閉可能な遮蔽部を他端部側に形成したシャッタ羽根からなり、第３羽根は、開口部を開閉可能なフィルタ支持部にＮＤフィルタを取り付けたフィルタ羽根、または開口部の口径より小さい小径穴を形成した絞り羽根からなるので、シャッタ動作とフィルタ動作または絞り動作とを確実に行うことができる。
【００４２】
また、第１、第２コイルは、磁性材からなるボトムヨーク上に載置され、第１、第２、第３羽根の上方には磁性材からなるトップヨークが配設されているので、第１、第２コイルの発生する磁束漏れ、及び第１〜第４マグネットの磁束漏れを小さくすることができる。
【００４３】
また、本発明の第２の実施の形態のシャッタ装置におけるベース部材上には、第１羽根と、ＮＤフィルタを取り付けたフィルタ羽根、または開口部の口径より小さい小径穴を有する絞り羽根からなる第２羽根とが配設され、第１リングと対向する側に、第２羽根を回動操作可能な第２リングを配設したので、第１、第２リングの回動で、第１、第２羽根をそれぞれ独立して回動させることができる。
【００４４】
また、第１、第３マグネットは、第１コイルを挟んで上下に隣り合わせて互い違いに配設され、第２、第４マグネットは、第２コイルを挟んで上下に隣り合わせて互い違いに配設され、第１、第２コイルに通電して発生する磁束が第１、第２マグネットの磁束に作用して第１リングが回動し、第１、第２コイルに通電して発生する磁束が第３、第４マグネットの磁束に作用して第２リングが回動するので、第１、第２リングをそれぞれ独立して回動させることができる。
【００４５】
また、第１、第２マグネットは、第１リングのリング部に形成した第１、第２マグネット受け部に取り付けられ、第３、第４マグネットは、第２リングのリング部に形成した第３、第４マグネット受け部に取り付けられているので、それぞれのマグネットを確実に第１、第２リングに取り付けできる。
【発明を実施するための最良の形態】
【００４６】
以下、本発明に関するシャッタ装置の実施の形態を図１〜図１１７に基づいて説明する。図１は本発明の第１の実施の形態に関するシャッタ装置の分解斜視図であり、図２は図１の平面図であり、図３は図２の３−３断面図であり、図４〜図８は本発明の第１の実施の形態に関するシャッタ装置の動作を説明する概略平面図であり、図９は本発明の第２の実施の形態に関するシャッタ装置の分解斜視図であり、図１０は図９の平面図であり、図１１は図１０の１１−１１断面図であり、図１２〜図１６は本発明の第２の実施の形態に関するシャッタ装置の動作を説明する概略平面図であり、図１７は本発明の第１の実施の形態に係わるコイルの通電方向とリングの回動方向を説明する表である。
【００４７】
まず、本発明の第１の実施の形態のシャッタ装置２１を図１〜図３に基づいて説明すると、最下部には、中央部に所定の大きさの開口２２ａが形成され、平面視の形状が略ドーナツ状の平坦部２２ｂを有する鋼板等の磁性材からなるボトムヨーク２２が配設されている。
また、ボトムヨーク２２の上面には、ボトムヨーク２２のドーナッツ状の平坦部２２ｂを略半分に切断した略馬蹄形状のＦＰＣ（フレキシブル基板）２３が載置されている。このＦＰＣ２３には、略楕円状に巻回された図示左側の一端部２３ａに第１コイル２４と、図示右側の他端部側に第２コイル２５とが、ボトムヨーク２２の平坦部２２Ｂの幅寸法と略同じ幅寸法Ａに形成されて、接着剤等で固着されている。
前記第１、第２コイル２４、２５は、図示を省略したＦＰＣ２３に形成した回路パターン（図示せず）を介して所定の電力を通電可能になっている。
【００４８】
また、第１、第２コイル２４、２５を取り付けたＦＰＣ２３を載置したボトムヨーク２２上には、樹脂材料からなり、開口２６ａの径がボトムヨーク２５の開口２２ａと略同じに形成されたリング部２６ｂを有する略ドーナッツ状の第１リング２６が配設されている。
この第１リング２６は、リング部２６ｂの幅寸法が、ボトムヨーク２２の平坦部２２ｂの略半分に形成されている。
また、第１リング２６のリング部２６ｂは、図示奥側と手前側の互いに対抗する上面に、突起状の第１羽根駆動部２６ｃと第２羽根駆動部２６ｄとが突出形成されている。
【００４９】
また、第２羽支持部２６ｄより図示奥側近傍のリング部２６ｂの下面には、永久磁石からなり形状が略扇状で板状の第１マグネット２７の上面２７ａが固着されている。また、第１羽支持部２６ｃより図示手前側近傍のリング部２６ｂの下面には、第１マグネット２７と同形状に形成された第２マグネット２８の上面２８ａが固着されている。
前記第１、第２マグネット２７、２８は、幅寸法Ｂが第１リング２６のリング部２６ｂの略２倍に形成されて、リング部２６ｂから外側に飛び出した状態でリング部２６ｂの下面に固着されている。
前記第１マグネット２７は、第１コイル２４の図示手前側端部と対向するように、第２マグネット２８は、第２コイル２５の図示奥側端部と対向するように第１リング２６が配設されている。
また、第１、第２マグネット２７、２８は、上下面が異なる磁極となるように着磁(面方向に着磁）され、例えば、上面２７ａ、２８ａがＳ極、下面がＮ極に着磁されている。
【００５０】
また、第１リング２６の外側には、第１リング２６のリング部２６ｂの外径より若干大きく形成された開口２９ａを有するリング部２９ｂが形成された第２リング２９が配設されている。
そして、リング部２９ｂの幅寸法は、第１リング２６のリング部２６ｂと略同じで、外径がボトムヨーク２２と略同じに形成されている。
この第２リング２９のリング部２９ｂは、図示手前側の上面で、第１リング部２６の第２羽支持部２６ｄ近傍に、突起状の第３係合部２９ｃが突出形成されている。また、第２リング部２９の下面には、互いに対向する位置で図示奥側に第３マグネット３０の上面３０ａが、図示手前側に第４マグネット３１の上面３１ａが固着されている。
【００５１】
そして、第１リング２６の外側に配設した第２リング２９は、第３マグネット３０が第１リング２６に取り付けた第１マグネット２７近傍の奥側に、第４マグネット３１が第１リング２６に取り付けた第２マグネット２８近傍の手前側に位置するように配置されている。
即ち、第１〜第４マグネット２７、２８、３０、３１は、開口部３２ｃを中心とする同一円周上に配設されている。
また、第３、第４マグネット３０、３１は、第１、第２マグネット２７、２８と同じように、面方向に着磁されている。そして、第３マグネット３０は、例えば上面３０ａがＮ極、下面がＳ極に着磁され、第４マグネット３１は、上面３１ａがＳ極、下面がＮ極に着磁されている。
また、第２リング２９の開口２９ａの内側に第１リング２６を位置させると、第１、第３マグネット２７、３０が第１コイル２４と対向する側に位置し、第２、第４マグネット２８、３１が第２コイル２５と対向する側に位置するようになっている。
【００５２】
また、開口２９ａの第１リング２６を位置させた第２リング２９は、ベース部材３２の円形状の外周壁３２ａ内に回動自在に収納されている。
前記ベース部材３２は、樹脂材料からなり、外周壁３２ａ内部の中央に、第１リング２６の開口２６ａに挿入可能な円筒状の基部３２ｂが形成されている。
前記ベース部材３２は、基部３２ｂの中央部に所定の口径の開口部３２ｃが形成されている。そして、基部３２ｂは、図示奥側の第１羽根ガイド部３２ｄと図示手前側の第２羽根ガイド部３２ｅとで外周壁３２ａにつながっている。
前記第１、第２羽根ガイド部３２ｄ、３２ｅは、基部３２ｂの表面と同一面に形成されている。
【００５３】
また、第１羽根ガイド部３２ｄには、基部３２ｂの外周部と接する位置に、第１リング２６の第１羽根駆動部２６ｃが挿通可能な挿通部である楕円状の第１逃げ孔３２ｆが貫通形成され、この第１逃げ孔３２ｆと対向する位置の第２羽根ガイド部３２ｅには、第２羽根駆動部２６ｄが挿通可能な挿通部である楕円状の第２逃げ孔３２ｇが貫通形成されている。
また、第１羽根ガイド部３２ｄの第１逃げ孔３２ｆに隣接する外側には、突起状の第１羽根支持部３３が形成され、第２羽根ガイド部３２ｅの第２逃げ孔３２ｇに隣接する外側には、突起状の第２羽根支持部３４が形成されている。
また、第２羽根ガイド部３２ｅには、第２逃げ孔３２ｇの図示右隣に突起状の第３羽根支持部３５が形成されている。
また、第２羽根ガイド部３２ｅは、第３羽根支持部３５と外周壁３２ａとの間に、第２リング２９の第３羽根駆動部２９ｃが挿通可能な挿通部である切り欠き部３２ｈが形成されている。
また、第２逃げ部３２ｆの図示左奥側の基部３２ｂの表面には、第１、第２、第３羽根支持部３３、３４、３５の高さより低い凸部３２ｊが突出形成されている。
【００５４】
また、第１羽根ガイド部３２ｄおよび基部３２ｂの図示左側表面には、シャッタ羽根からなる第１羽根３６が載置されている。前記第１羽根３６の一端部側である図示右側には、丸孔からなる第１支持部３６ａが形成され、この第１支持部３６ａが突起状の第１羽根支持部３３に挿入可能になっている。
また、第１羽根３６の一端部側には、第１支持部３６ａ近傍で図示手前側に、第１リング２６の第１羽根駆動部２６ｃが係合可能な楕円孔からなる第１係合部３６ｂが形成されている。
また、第１羽根３６の多端部である図示左側にはベース部材３２の開口部３２ｃを遮蔽可能な面積の大きな遮蔽部３６ｃが形成されている。
【００５５】
そして、第１羽根３６は、第１支持部３６ａをベース部材３２の第１羽根支持部３３に挿入すると共に、第１係合部３６ｂをベース部材３２の第１逃げ部３２ｅを挿通する第１リング２６の第１羽根駆動部２６ｃに係合させて、第１リング２６を所定角度回動させると、遮蔽部３６ｃが開口部３２ｃを開閉可能になっている。
また、第２羽根ガイド部３２ｅおよび基部３２ｂの図示右側表面には、第１羽根３６と同形状の第２羽根３７が載置されている。
そして、第２羽根３７の第２支持部３７ａが、第２羽根支持部３４に挿入可能になっており、楕円孔からなる第２係合部３７ｂに、第１リング２６の第２羽根駆動部２６ｄが挿入係合されて、第２羽根３７の遮蔽部３７ｃが開口部３２ｃを開閉可能になっている。  
【００５６】
また、第２羽根３７上には、フィルタ羽根からなる第３羽根３８が配設されており、この第３羽根３８は、一端部側である図示左側に丸孔からなる第３係合部３８ａが形成され、この第３係合部３８ａ近傍に楕円孔からなる第３支持部３８ｂが形成されている。
また、第３羽根３８は、図示右側の他端部側にベース部材３２の開口部３２ｃより径寸法が若干大きく形成された開口（図示せず）を有するリング状のフィルタ支持部３８ｃが形成されている。
【００５７】
そして、フィルタ支持部３８ｃには、ベース部材３２の開口部３２ｃを通過する光の光量を調整可能なフィルム状のＮＤフィルタ３８ｄが接着剤等で取り付けられている。
尚、第３羽根３８は、ＮＤフィルタ３８ｄを取り付けたフィルタ羽根に限らず、ベース部材３２の開口部３２ｃの口径より小さい小径穴をフィルタ支持部３８ｃに形成した絞り羽根で構成したものでも良い。
【００５８】
このような第３羽根３８は、第３係合部３８ａを第２リング２９の第３羽根駆動部２９ｃに挿入すると共に、第３支持部３８ｂを第３羽根支持部３５に係合させて、第２リング２９を回動させると、ＮＤフィルタ３８ｄが開口部３２ｃ側に回動するようになっている。
前記第１、第２、第３羽根３６、３７、３８は、カーボン等の導電性粉末を練り込みした樹脂材料等で薄板状に形成されて、回動時の摺動摩擦の軽減、および静電気等の発生を防止できるようになっている。
【００５９】
また、それぞれの羽根３６、３７、３８の上には、磁性材からなるトップヨーク３９が配設されている。そして、それぞれの羽根３６、３７、３８は、ベース部材３２とトップヨーク３９との間に支持されて回動自在になっている。
前記トップヨーク３９は、ベース部材２４と外形が略同形状に形成された樹脂材料からなり、楕円状で形状が大きな第１逃げ部３９ａと、この第１逃げ部３９ａの周辺に楕円状で形状が小さな第２逃げ部３９ｂおよび丸孔状の第３逃げ部３９ｃが形成されている。
【００６０】
このような構成の本発明の第１の実施の形態のシャッタ装置２１の組立は、
ボトムヨーク２２上に第１、第２コイル２４、２５を接着剤等で固着したＦＰＣ２３を載置して固着する。
そして、第２リング２９の開口２９ａ内に第１リング２６を収納して、第１コイル２４上に第１、第３マグネット２７、３０を対向配置すると共に、第２コイル２５上に第２、第４マグネット２８、３１を対向配置する。
【００６１】
次ぎに、第１、第２リング２６、２９上からベース部材３２をかぶせると、第２リング２９の外周が外周壁３２ａに囲まれると共に、第１リング２６の開口２６ａに基部３２ｂが挿入されて位置する。
同時に、第１羽根駆動部２６ｃが楕円状の第１逃げ孔３２ｆから上方に挿通すると共に、第２羽根駆動部２６ｄが楕円状の第２逃げ孔３２ｇから上方に挿通する。また、第３羽根駆動部２９ｃも切り欠き部３２ｈから上方に挿通する。
【００６２】
次ぎに、ベース部材３２の第１羽根支持部３３に第１羽根３６の第１支持部３６ａを嵌合すると共に、第１係合部３６ｂを第１逃げ孔３２ｆから挿通した第１羽根駆動部２６ｃに係合させて、第１羽根３６をベース部材３２上に載置する。  また、第２羽根支持部３４に第２羽根３７の第２支持部３７ａを嵌合すると共に、第２係合部３７ｂを第２逃げ孔３２ｇから挿通した第２羽根駆動部２６ｄに係合させて、第２羽根３７をベース部材３２上に載置する。
また、切り欠き部３２ｈから挿通する第３羽根駆動部２９ｃに、第３羽根３８の丸孔からなる第３係合部３８ａを挿入すると共に、楕円状の第３支持部３８ｂを第３羽根支持部３５に係合させて、第３羽根３８を第２羽根３７上に重ねて載置する。
【００６３】
前記第１〜第３羽根３６〜３８を載置したベース部材３２上からトップヨーク３９をかぶせる。この時のトップヨーク３９は、第３羽根３８のＮＤフィルタ３８ｄの回動軌跡に第１逃げ部３９ａを位置させているので、第１逃げ部３９ａでＮＤフィルタ３８ｄの厚さを吸収するようにしている。
また、それぞれの第２逃げ部３９ｂには、第１、第２、第３羽根駆動部２６ｃ、２６ｄ、２９ｃのそれぞれが位置して、楕円状の第２逃げ部３９ｂ内を移動可能になっている。
また、それぞれの第３逃げ部３９ｃには、第１〜第３羽根支持部３３〜３５が嵌合している。
【００６４】
このように組み立てられた本発明の第１の実施の形態のシャッタ装置２１の動作は、まず図４に示すような初期状態においては、第１、第２、第３羽根３６、３７、３８がベース部材３２の開口部３２ｃを開放した状態になっている。
この初期状態においては、第１リング２６が反時計回り方向に回動していると共に、第２リング２９が時計回り方向に回動した状態で停止している。
この時の第１、第３マグネット２７、３０は、第１コイル２４の左右端部のカーブ部分と重なり、第２、第４マグネット２８、３１は、第２コイル２５の左右端部のカー部分と重なった状態になっている。
【００６５】
そして、初期状態における第１、第２コイル２４、２５の両方に、反時計回り方向（左回り方向）の電流を通電すると、発生する磁束が第１、第２マグネット２７、２８の磁束に同じ向きに作用して、図１７の表に示すように、第１リング２６が時計回り方向（右回り方向）に回動する。
【００６６】
即ち、第１コイル２４が、第１マグネット２７と重なる部分において、第１コイル２４のカーブ部分で、（デバイス）中心から外側に向かう電流の径方向成分と、第１リング２６に取り付けた第１マグネット２７の下面のＳ極に入る磁束の垂直方向の成分（Ｚ軸上向き方向）とにより、フレーミングの左手の法則に基づき、第１コイル２４には、左回り方向の推力が発生し、この推力で第１マグネット２７は、右回り方向の力を受ける。同様に第２マグネット２８は、第２コイル２５に発生する推力で、右回り方向の力を受ける。
【００６７】
このことにより、図５、図６に示すように、第１羽根３６は、第１係合部３６ｂの内壁が第１羽根駆動部２６ｃに押圧されて、第１支持部３６ａを支点として反時計回り方向に回動し、遮蔽部３６ｃが開口部３２ｃ上に位置する。また、同時に第２羽根３７は、第２係合部３７ｂの内壁が第２羽根駆動部２６ｄに押圧されて、第２支持部３７ａを支点として反時計回り方向に回動し、遮蔽部３７ｃが開口部３２ｃ上に位置する。
【００６８】
このような、第１、第２羽根３６、３７が反時計回り方向に回動することにより、それぞれの遮蔽部３６ｃ、３７ｃが開口部３２ｃを閉じるシャッタ動作が行われる。
また、第１、第２羽根３６、３７がシャッタ動作時の第２リング２９は、第１、第２コイル２４、２５に発生する磁束により、第３、第４マグネットに対する推力が互いに逆向きに発生して回動しないので、第３羽根３８は、開口部３２ｃを開放した初期状態の姿勢のままで停止している。
【００６９】
また、第１、第２羽根３６、３７が開口部３２ｃを閉じた状態から、第１、第２コイル２４、２５の両方に時計時計回り方向の電流を通電すると、第１リング２６は、反時計回り方向に回動する。すると、第１、第２羽根３６、３７が時計回り方向に回動して開口部３２ｃが開放され、図４に示す初期状態に復帰させることができる。
また、図４に示す初期状態から、第１コイル２４に反時計回り方向の通電を行うと共に、第２コイル２５に時計回り方向の通電行うと、第１コイル２４に発生する磁束に第３マグネット３０の磁束が作用すると共に、第２コイル２５に発生する磁束に第４マグネット３１の磁束が作用して、第２リング２９が反時計回り方向に回動する。
【００７０】
このことにより、第３羽根３８は、第３係合部３７ｂに係合する第３羽根支持部３５を支点として反時計回り方向に回動してＮＤフィルタ３７ｃが開口部３２ｃを閉じる方向に移動する。
そして、ＮＤフィルタ３８ｄが開口部３２ｃを遮蔽することにより、開口部３２ｃを通過する光量が調整されて絞り動作が行われる。
また、第３羽根３８が絞り動作時の第１リング２９は、第１、第２コイル２４、２５に発生する磁束により、第１、第２マグネット２７、２８の磁束に対する推力が互いに逆向きに発生して回動しないので、第１、第２羽根３６、３７は、開口部３２ｃを開放した初期状態の姿勢のままで停止している。
【００７１】
また、第１コイル２４に時計回り方向の通電を行うと共に、第２コイル２５に反時計回り方向の通電行うと、第２リング２９が時計回り方向に回動する。
このことにより、開口部３２ｃを閉じた状態の第３羽根３８が、第３羽根支持部３５を支点として時計回り方向に回動する。そしてＮＤフィルタ３８ｄは、図４に示す開口部３２ｃを開放した初期状態に復帰する。
即ち、本発明の第１の実施の形態のシャッタ装置２１は、第１、第２コイル２４、２５の通電方句を切り換えるだけで、第１、第２リング２６、２９の回動方向を変えて、第１、第２羽根３６、３７および第３羽根３８の回動方向を制御できるようになっている。
【００７２】
また、本発明の第１の実施の形態では、第１、第２、第３羽根駆動部２６ｃ、２６ｄ、２９ｃをそれぞれ突起状に形成すると共に、第１、第２、第３羽根駆動部２６ｃ、２６ｄ、２９ｃに支持する第１、第２、第３羽根３６、３７、３８のそれぞれの係合部３６ｂ、３７ｂ、３８ａを孔で説明したが、第１、第２、第３羽根駆動部２６ｃ、２６ｄ、２９ｃを丸孔で、第１支持部３６ａ、３７ａ、３８ａを突起状にしたものでも良い。
また、ベース部材３２の第１、第２、第３羽根支持部３３、３４、３５を孔で、第１、第２、第３羽根３６、３７、３８のそれぞれの支持部３６ａ、３７ａ、３８ｂを突起状に形成したものでも良い。
【００７３】
このような、本発明の第１の実施の形態のシャッタ装置２１は、第１、第２リング２６、２９が円形状に形成されているので、例えば図４に示す初期状態において、第１、第２コイル２４、２５に通電しない無通電時に、外部から衝撃力が加わったとしても、第１、第２リング２６、２９は回動しない。そのために、初期状態において、第１〜第３羽根３６〜３８が開口部３２ｃを閉じるという障害を防止できる。
また、第１〜第３羽根３６〜３８は、薄板状に形成されて質量が非常に小さいので、外部から衝撃力が加わったとしても回動しないようになっている。
【００７４】
また、本発明の第２の実施の形態のシャッタ装置４１を図９〜図１１に基づいて説明すると、最下部には、中央部に所定の大きさの開口４２ａを有して、平面視の形状が略ドーナツ状に形成された、鋼板等の磁性材からなるボトムヨーク４２が配設されている。
前記ボトムヨーク４２は、図示左右の互いに対向する位置に第１平坦部４２ｂと、図示奥側と手前側との互いに対向する位置に、第１平坦部４２ｂより高さが高く形成されて段差状の第２平坦部４２ｃとが形成されている。
【００７５】
また、ボトムヨーク４２の上方には、樹脂材料からなり、外周部が円形状の外周壁４３ａで囲まれたベース部材４３が配設されている。
前記ベース部材４３は、外周壁４３ａ内部の中央に、ボトムヨーク４２の開口４２ａに挿入されて嵌合可能な円筒状の基部４３ｂが形成されている。
また、ベース部材４３は、基部４３ｂの中央部に所定の口径の開口部４３ｃが形成されている。そして、基部４３ｂは、図示奥側に第１連結部４３ｄと図示手前側に第２連結部４３ｅとで外周壁４３ａにつながっている。
【００７６】
また、基部４３ｂの表面の３方向における同一円周上には、第１、第２羽根支持部４４、４５とカバー支持部４６とが突出形成されて形成されている。
そして、第１羽根支持部４４には、円形状で所定高さの台座部４４ａと、この台座部４４ａの中心から上方に突出するカバー位置決め部４４ｂとが形成されている。
また、第２羽根支持部４５は、第１羽根支持部４４と同形状の台座部４５ａとカバー位置決め部４５ｂとが形成されている。またカバー支持部４６は、それぞれの台座部４４ａ、４５ａと同じ高さで略半円状の台座部４６ａとカバー位置決め部４６ｂとが形成されている。
【００７７】
また、ベース部材４３の基部４３ｂの外側で第１、第２連結部４３ｄ、４３ｅ上には、基部４３ｂに対して挿入可能な開口４７ａを有して、外形が略ドーナッツ状のリング部４７ｂが形成された第１リング４７が配設されている。
そして、リング部４７ｂの互いに対向する図示左右からは、第１マグネット受け部４７ｃと第２マグネット受け部４７ｄとが外向きに突出形成されている。
また、第２マグネット受け部４７ｄの図示奥側の根元部分近傍のリング部４７ｂには、破線で示すような第１羽根駆動部４７ｅが上方に突出形成されている。
前記第１マグネット受け部４７ｃには、板状の第１マグネット４８が取り付けられ、第２マグネット受け部４７ｄには、第１マグネット４８と同形状の第２マグネット４９が取り付けられている。
【００７８】
また、第１マグネット４８と対向する上方には、第１コイル５０が配設され、第２マグネット４９と対向する上方には、第２コイル５１が配設されている。
また、図９に示すように、第１コイル５０は、図示手前側の略半分が第１マグネット４８の上面４８ａと対向しており、第２コイル５１は、図示奥側の略半分が第２マグネット４９と対向するように配設されている。
また、第１、第２コイル５０、５１は、図示を省略したＦＰＣ（フレキシブル基板）に固着されて、ＦＰＣに形成した回路パターンを介して所定の電力を通電可能になっている。
【００７９】
また、ベース部材４３の第１、第２連結部４３ｄ、４３ｅ上に第１リング４７を載置した状態の、基部４３ｂ及び第１リング４７上には、シャッタ羽根からなる第１羽根５２とフィルタ羽根からなる第２羽根５３の２枚が配設されている。
前記第１羽根５２は、図示右側の一端部側に丸孔からなり第１羽根駆動部４７ｅが嵌合可能な第１支持部５２ａと、この第１支持部５２ａの左側近傍に、楕円孔からなり第１羽根支持部４４の台座部４４ａが係合可能な第１係合部５２ｂが形成されている。
【００８０】
また、第１羽根５２の図示左側の他端部にはベース部材４３の開口部４３ｃの口径より大きな面積の遮蔽部５２ｃが形成されている。
また、第２羽根５３は、図示右側の一端部側に丸孔からなる第２支持部５３ａと、この第２支持部の左側近傍に楕円孔からなり、第２羽根支持部４５の台座部４５ａが係合可能な第２係合部４３ｂが形成されている。
また、第２羽根５３の図示左側の他端部側には、開口部４３ｃの口径より大きな開口を有するフィルタ支持部５３ｃが形成され、このフィルタ支持部５３ｃにＮＤフィルタ（図示せず）が接着剤等で固着されている。
【００８１】
また、第１羽根５２と第２羽根５３上には、平面視の形状が第１リング４７と略同形状で、開口５４ａが形成されたリング部５４ｂを有する第２リング５４が配設されている。
そして、リング部５４ｂの互いに対向する左右からは、第３マグネット受け部５４ｃと、第４マグネット受け部５４ｄとが外向きに突出形成されている。
また、リング部５４ｂから外側に突出する第４マグネット受け部５４ｄの根元部分近傍には、第２羽根駆動部５４ｅが下方に突出形成され、この第２羽根駆動部５４ｅが第２羽根５３の第２支持部５３ａに嵌合可能になっている。
【００８２】
前記第１コイル５０の上方の第３マグネット受け部５４ｃには、板状の第３マグネット５５が取り付けられ、第２コイル５１の上方の第４マグネット受け部５４ｄには、第３マグネット５５と同形状の第４マグネット５６が取り付けられている。
そして、図９に示すように、第３マグネット５５は、第１コイル５０の図示奥側の略半分と対向しており、第４マグネット５６は、第２コイル５１の図示手前側の略半分と対向するように、第２リング５４が第１リング４７上に配設されている。前記それぞれのマグネット４８、４９、５５、５６は、上下面が互いに異なる磁極が着磁されている。（第１の実施の形態と同様に面方向に着磁されている）そして、例えば第１、第２、第４マグネット４８、４９、５６は、上面がＳ極下面がＮ極となるように着磁され、第３マグネット５６は、上面がＮ極下面がＳ極となるように着磁されている。
【００８３】
また、第２リング５４の開口５４ａの内部には、円形状の外周壁５７ａを有するトップカバー５７が挿入されて嵌合している。
前記トップカバー５７は、底板５７ｂにベース部材４３の開口部４３ｃの口径より若干大きな口径の開口部５７ｃが形成されている。
また底板５７ｂの３方向には、ベース部材４３の第１第２羽根支持部４４、４５及びカバー支持部４６に形成したカバー位置決め部４４ｂ、４５ｂ、４６ｂが嵌合可能な位置決め孔５７ｄが形成されている。
【００８４】
また、開口５４ａにトップカバー５７を挿入した状態の第２リング５４の上方には、磁性材からなるトップヨーク５８が配設されている。このトップヨーク５８は、中央部にトップカバー５７の外周壁５７ａの直径寸法より小さな開口５８ａを有し、高さの低い第１平坦部５８ｂと高さが高い第２平坦部５８ｃとからなる段差状に形成されている。
【００８５】
このような構成の本発明の第２の実施の形態のシャッタ装置４１の組立は、ボトムヨーク４２上にベース部材４３の外周壁４３ａを載置して、ボトムヨーク４２とベース部材４３とを接着剤等で固着する。
その後、ベース部材４３の第１、第２連結部４３ｄ、４３ｅ上に第１、第２マグネット４８、４９を取り付けた第１リング４７を載置する。すると、第１、第２マグネット受け部４７ｃ、４７ｄが、ボトムヨーク４２の高さの低い第１平坦部４２ｂ上に位置して、第１リング４７が基部４３ｂの外周部に沿って回動自在になる。
【００８６】
また、第１、第２マグネット４８、４９上に所定の隙間を有して、ＦＰＣ（図示せず）に取り付けた第１、第２コイル５０、５１を積層する。
そして、第１羽根５２の第１支持部５２ａを第１リンク４７の第１羽根駆動部４７ｅに嵌合させると共に、第１係合部５２ｂをベース部材４３の第１羽根支持部４４の台座部４４ａに係合させて、第１羽根５２を載置する。
また、第２羽根５３の第２係合部５３ｂをベース部材４３の第２羽根支持部４５の台座部４５ａに係合させて、第２羽根５３を載置する。そして、第１、第２羽根５２、５３上から第２リング５４を重ねて、第２羽根駆動部５４ｅを第２羽根５３の第２支持部５３ａに嵌合させる。
【００８７】
この時の第１コイル５０は、図示手前側半分の下面側に第１マグネット４８が対向し、図示奥側半分の上面側に第３マグネット５５が対向し、第２コイル５１は、図示奥側半分の下面側に第２マグネット４９が対向し、図示手前側半分の上面側に第４マグネット５６が対向している。
即ち、第１、第３マグネット４８、５５は、第１コイル５０を挟んで上下に隣り合わせて互い違いに配設され、第２、第４マグネット４９、５６は、第２コイル５１を挟んで上下に隣り合わせて互い違いに配設されている。
【００８８】
次ぎに、第２リング５４の開口５４ａにトップカバー５７を挿入して、底板５７ｂに形成した位置決め孔５７ｄを、ベース部材４３に形成したそれぞれのカバー位置決め部４４ｂ、４５ｂ、４６ｂに嵌合させる。
すると、第１、第２羽根５２、５３は、ベース部材４３の基部４３ｂとトップカバー５７とにサンドイッチ状に回動可能に狭持される。
【００８９】
次ぎに、それぞれの第２平坦部５８ｃの下部に第３、第４マグネット受け部５４ｃ、５４ｄを位置合わせして、第２リング５４上にトップヨーク５８をかぶせると、第２リング５４はトップカバー５７の外周壁５７ａに沿って回動可能となっている。
また、トップヨーク５８は、図示を省略した支持部材によってボトムヨーク４２に支持されて、本発明の第２の実施の形態のシャッタ装置４１が組み立てられている。
【００９０】
このように組み立てられた本発明の第２の実施の形態のシャッタ装置４１の動作を図１２〜図１６に基づいて説明すると、第１、第２コイル５０、５１に通電して発生する磁束が第１、第２マグネット４８、４９の磁束に作用して第１リング４７が回動する。
この第１リング４７が回動することにより、第１羽根５２が、第１係合部５２ｂに係合する第１羽根支持部４４の台座部４４ａを支点として、遮蔽部５２ｃ側が開口部４３ｃを開閉する方向に回動する。
【００９１】
また、第１、第２コイル５０、５１に通電して発生する磁束が第３、第４マグネット５５。５６の磁束に作用して第２リング５４が回動する。
この第２リング５４が回動することにより、第２羽根５３が、第２係合部５３ｂに係合する第２羽根支持部４５の台座部４５ａを支点として、フィルタ支持部５３ｃ側が開口部４３ｃを開閉する方向に回動する。
即ち、第１、第２羽根５２、５３は、それぞれ独立して回動操作可能になっている。
【００９２】
このような本発明の第２の実施の形態のシャッタ装置４１は、第１、第２リング４７、５４にそれぞれ互いに対向する位置にマグネット４８、４９、５５、５６を取り付けているので、第１、第２リング４７、５４は、回転方向のバランスが取られている。
そのために、それぞれのコイル５０、５１に通電しない無通電時において、外部から衝撃が加わったとしても、第１、第２リング４７、５４が回動せず、第１、第２羽根５２、５３も回動しない。
また、第１、第羽根５２、５３は、薄板状に形成されて質量が非常に小さいので、外部から衝撃力が加わったとしても回動しないようになっている。
【図面の簡単な説明】
【００９３】
【図１】本発明の第１の実施の形態に関するシャッタ装置の分解斜視図である。
【図２】図１の平面図である。
【図３】図２の３−３断面図である。
【図４】本発明の第１の実施の形態の動作を説明する概略平面図である。
【図５】本発明の第１の実施の形態の動作を説明する概略平面図である。
【図６】本発明の第１の実施の形態の動作を説明する概略平面図である。
【図７】本発明の第１の実施の形態の動作を説明する概略平面図である。
【図８】本発明の第１の実施の形態の動作を説明する概略平面図である。
【図９】本発明の第２の実施の形態に関するシャッタ装置の分解斜視図である。
【図１０】図９の平面図である。
【図１１】図１０の１１−１１断面図である。
【図１２】本発明の第２の実施の形態の動作を説明する概略平面図である。
【図１３】本発明の第２の実施の形態の動作を説明する概略平面図である。
【図１４】本発明の第２の実施の形態の動作を説明する概略平面図である。
【図１５】本発明の第２の実施の形態の動作を説明する概略平面図である。
【図１６】本発明の第２の実施の形態の動作を説明する概略平面図である。
【図１７】本発明の第１の実施の形態に係わるコイルに通電する方向とリングの回動方向を説明する表である。
【図１８】従来のシャッタ装置の分解斜視図である。
【符号の説明】
【００９４】
２１  本発明の第１の実施の形態のシャッタ装置
２２  ボトムヨーク
２３  ＦＰＣ
２４  第１コイル
２５  第２コイル
２６  第１リング
２６ａ  開口
２６ｂ  リング部
２６ｃ  第１羽根駆動部
２６ｄ  第２羽根駆動部
２７  第１マグネット
２８  第２マグネット
２９  第２リング
２９ａ  開口
２９ｂ  リング部
２９ｃ  第３羽根駆動部
３０  第３マグネット
３１  第４マグネット
３２  ベース部材
３２ａ  外周壁
３２ｂ  基部
３２ｃ  開口部
３２ｄ  第１羽根ガイド部
３２ｅ  第２羽根ガイド部
３３  第１羽根支持部
３４  第２羽根支持部
３５  第３羽根支持部
３６  第１羽根
３７  第２羽根
３８  第３羽根
３９  トップヨーク
【図１】
2005227531.tif 000003
【図２】
2005227531.tif 000004
【図３】
2005227531.tif 000005
【図４】
2005227531.tif 000006
【図５】
2005227531.tif 000007
【図６】
2005227531.tif 000008
【図７】
2005227531.tif 000009
【図８】
2005227531.tif 000010
【図９】
2005227531.tif 000011
【図１０】
2005227531.tif 000012
【図１１】
2005227531.tif 000013
【図１２】
2005227531.tif 000014
【図１３】
2005227531.tif 000015
【図１４】
2005227531.tif 000016
【図１５】
2005227531.tif 000017
【図１６】
2005227531.tif 000018
【図１７】
2005227531.tif 000019
【図１８】
2005227531.tif 000020